(57)【要約】【課題】天井面及びブラインド面の双方を明るくすることに有利な照明装置を提供する。【解決手段】照明装置は、スラット２を備える。スラット２は、中空部８を有するスラット本体７と、中空部８に配置された光源部９とを備える。スラット本体７は、室内側端面部１１と、室内側上面部１２と、窓側上面部１３と、室内側下面部１４とを備える。光源部９から発せられた光を室内側端面部１１からスラット２の外部へ放射可能である。光源部９から発せられた光を室内側下面部１４からスラット２の外部へ放射可能である。スラット２の外部からの光に対する反射率に関して、室内側上面部１２の反射率は、室内側下面部１４の反射率よりも高い。室内側下面部１４の光透過率は、室内側上面部１２の光透過率よりも高い。【選択図】図２
2019212585.tif 000002
【特許請求の範囲】
【請求項１】
スラットを有し、窓の覆いとして使用可能な照明装置であって、
前記スラットは、前記照明装置の使用時に水平になる方向を長手方向とする外形を有し、
前記長手方向に対して垂直な平面で前記スラットを切断した断面形状の長手方向は、断面長手方向であり、
前記スラットは、中空部を有するスラット本体と、前記中空部に配置された光源部とを備え、
前記スラット本体は、室内側端面部と、室内側上面部と、窓側上面部と、室内側下面部とを備え、
前記室内側端面部、前記室内側上面部、及び前記室内側下面部は、前記中空部と前記スラット本体の外部との間を隔てており、
前記室内側端面部は、室内側に向くことのできる端面を形成し、
前記窓側上面部は、前記スラットを前記断面長手方向が水平になる水平姿勢にしたときに、前記スラットの上面のうちの前記窓に近い部分を形成し、
前記室内側上面部は、前記スラットを前記水平姿勢にしたときに、前記室内側端面部と前記窓側上面部との間の部分の前記スラットの上面を形成し、
前記室内側下面部は、前記スラットを前記水平姿勢にしたときに、前記スラットの下面の一部を形成し、
前記光源部から発せられた光を前記室内側端面部から前記スラットの外部へ放射可能であり、
前記光源部から発せられた光を前記室内側下面部から前記スラットの外部へ放射可能であり、
前記スラットの外部からの光に対する反射率に関して、前記室内側上面部の反射率は、前記室内側下面部の反射率よりも高く、
前記室内側下面部の光透過率は、前記室内側上面部の光透過率よりも高い照明装置。
【請求項２】
前記室内側上面部の前記反射率［％］は、前記室内側下面部の反射率［％］よりも３０ポイント以上高く、
前記室内側下面部の前記光透過率［％］は、前記室内側上面部の前記光透過率［％］よりも３０ポイント以上高い請求項１に記載の照明装置。
【請求項３】
前記光源部から発せられた光は、反射を経ることなく前記室内側端面部の内面に入射する光と、１回のみの反射を経て前記室内側端面部の内面に入射する光との少なくとも一方を含む請求項１または請求項２に記載の照明装置。
【請求項４】
前記室内側上面部及び前記窓側上面部は、前記スラットの外部からの光が前記スラットの内部に入射することを防止する遮光性を有する請求項１から請求項３のいずれか一項に記載の照明装置。
【請求項５】
前記室内側上面部と前記窓側上面部とが一体的に形成されている請求項１から請求項４のいずれか一項に記載の照明装置。
【請求項６】
水平面に対する前記断面長手方向の傾斜角度であるスラット傾斜角度を変化させるスラット駆動手段と、
前記照明装置が設置された部屋の天井面の輝度分布に関する情報を受信する受信手段と、
前記輝度分布が均一の状態に近づくように前記スラット駆動手段により前記スラット傾斜角度を調整する制御手段とを備える請求項１から請求項５のいずれか一項に記載の照明装置。
【請求項７】
水平面に対する前記断面長手方向の傾斜角度であるスラット傾斜角度を変化させるスラット駆動手段と、
前記照明装置が設置された部屋の天井面の輝度分布を検出する輝度検出手段と、
前記輝度分布が均一の状態に近づくように前記スラット駆動手段により前記スラット傾斜角度を調整する制御手段とを備える請求項１から請求項５のいずれか一項に記載の照明装置。
【請求項８】
前記スラットを吊り下げるヘッドボックスを備え、
前記輝度検出手段が前記ヘッドボックスに設置されている請求項７に記載の照明装置。
【請求項９】
前記スラットの昇降方向に沿って配置された支柱を備え、
前記輝度検出手段が前記支柱に設置されている請求項７に記載の照明装置。
【請求項１０】
前記照明装置の使用時に鉛直方向についての位置が異なるように配置可能な複数の前記スラットを備え、
前記複数の前記スラットについて、水平面に対する前記断面長手方向の傾斜角度であるスラット傾斜角度を変化させる傾斜角度調整手段を備え、
前記断面長手方向の直線を室内側に延長した仮想直線が天井面と交差するように前記断面長手方向が傾斜した場合の前記スラット傾斜角度の符号を正とした場合、前記複数の前記スラットのうち比較的低い第一高さにある一部の前記スラットの前記スラット傾斜角度が正になり、かつ、前記一部の前記スラットの前記スラット傾斜角度が、前記第一高さよりも高い第二高さにある前記スラットの前記スラット傾斜角度よりも大きくなるようにすることが可能である請求項１から請求項９のいずれか一項に記載の照明装置。
【請求項１１】
前記断面長手方向についての前記室内側下面部の長さは、前記断面長手方向についての前記スラットの全長の１／２よりも長い請求項１から請求項１０のいずれか一項に記載の照明装置。
【請求項１２】
前記スラット本体は、窓側下面部を備え、
前記窓側下面部は、前記スラットを前記水平姿勢にしたときに、前記室内側下面部よりも前記窓に近い部分の前記スラットの下面を形成し、
前記スラットの前記長手方向に平行な方向から見たときに、前記室内側上面部の少なくとも一部の表面から前記スラットの外部へ延びる法線と、前記窓側上面部の少なくとも一部の表面から前記スラットの外部へ延びる法線とが交わり、
前記スラットの前記長手方向に平行な方向から見たときに、前記室内側下面部の少なくとも一部の表面から前記スラットの外部へ延びる法線と、前記窓側下面部の少なくとも一部の表面から前記スラットの外部へ延びる法線とが交わらない請求項１から請求項１１のいずれか一項に記載の照明装置。
【請求項１３】
前記室内側端面部から前記スラットの外部へ放射される光束が、前記室内側下面部から前記スラットの外部へ放射される光束よりも大きい請求項１から請求項１２のいずれか一項に記載の照明装置。
【発明の詳細な説明】
【技術分野】
【０００１】
本発明は、照明装置に関する。
【背景技術】
【０００２】
下記特許文献１には、窓に配置されるルーバ装置が備えるルーバー材を、中空部を有する外殻構造とし、光源部を外殻内に配設したルーバ装置が開示されている。このルーバ装置では、照射光を遮断する遮光部と、照射光を透過する透光部とを上記外郭に区画形成し、透光部を介して外部に照明光を発する。
【先行技術文献】
【特許文献】
【０００３】
【特許文献１】特開２０１０−７７６３８号公報
【発明の概要】
【発明が解決しようとする課題】
【０００４】
特許文献１に記載のルーバ装置は、ルーバー材（スラット）の、室内側の約半分の部分が透光材で形成されている。透光材で形成された部分は、光を反射しにくい。よって、このルーバ装置では、日光を天井面へ反射しにくいので、天井面が暗くなる可能性がある。
【０００５】
本発明は、上述のような課題を解決するためになされたもので、天井面及びブラインド面の双方を明るくすることに有利な照明装置を提供することを目的とする。
【課題を解決するための手段】
【０００６】
本発明に係る照明装置は、スラットを有し、窓の覆いとして使用可能な照明装置であって、スラットは、照明装置の使用時に水平になる方向を長手方向とする外形を有し、長手方向に対して垂直な平面でスラットを切断した断面形状の長手方向は、断面長手方向であり、スラットは、中空部を有するスラット本体と、中空部に配置された光源部とを備え、スラット本体は、室内側端面部と、室内側上面部と、窓側上面部と、室内側下面部とを備え、室内側端面部、室内側上面部、及び室内側下面部は、中空部とスラット本体の外部との間を隔てており、室内側端面部は、室内側に向くことのできる端面を形成し、窓側上面部は、スラットを断面長手方向が水平になる水平姿勢にしたときに、スラットの上面のうちの窓に近い部分を形成し、室内側上面部は、スラットを水平姿勢にしたときに、室内側端面部と窓側上面部との間の部分のスラットの上面を形成し、室内側下面部は、スラットを水平姿勢にしたときに、スラットの下面の一部を形成し、光源部から発せられた光を室内側端面部からスラットの外部へ放射可能であり、光源部から発せられた光を室内側下面部からスラットの外部へ放射可能であり、スラットの外部からの光に対する反射率に関して、室内側上面部の反射率は、室内側下面部の反射率よりも高く、室内側下面部の光透過率は、室内側上面部の光透過率よりも高いものである。
【発明の効果】
【０００７】
本発明によれば、室内側上面部の反射率は、室内側下面部の反射率よりも高く、室内側下面部の光透過率は、室内側上面部の光透過率よりも高いことにより、天井面及びブラインド面の双方を明るくすることに有利な照明装置を提供することが可能となる。
【図面の簡単な説明】
【０００８】
【図１】実施の形態１による照明装置を示す斜視図である。
【図２】実施の形態１による照明装置が備えるスラットの断面図である。
【図３】実施の形態１による照明装置が備えるスラットの断面斜視図である。
【図４】実施の形態１による照明装置の断面図である。
【図５】実施の形態１による照明装置の断面図である。
【図６】実施の形態１による照明装置の断面図である。
【図７】実施の形態１による照明装置が設置された部屋の内部を遠近法により描いた図である。
【図８】実施の形態２による照明装置が設置された部屋を示す断面側面図である。
【図９】実施の形態３による照明装置が設置された部屋を示す断面側面図である。
【図１０】実施の形態３による照明装置のブロック図である。
【図１１】実施の形態４による照明装置が設置された部屋の内部を遠近法により描いた図である。
【図１２】実施の形態５による照明装置が設置された部屋の内部を遠近法により描いた図である。
【図１３】実施の形態６による照明装置が備えるスラットを、スラットの長手方向に垂直な平面で切断した断面図である。
【図１４】実施の形態７による照明装置が備えるスラットを、スラットの長手方向に垂直な平面で切断した断面図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。なお、本明細書中で角度に言及した場合において、優角と劣角とがあるときには原則として劣角の角度を指すものとし、鋭角と鈍角とがある場合には原則として鋭角の角度を指すものとする。
【００１０】
実施の形態１．
図１は、実施の形態１による照明装置を示す斜視図である。図２は、実施の形態１による照明装置が備えるスラットの断面図である。図３は、実施の形態１による照明装置が備えるスラットの断面斜視図である。図４から図６は、それぞれ、実施の形態１による照明装置の断面図である。図７は、実施の形態１による照明装置が設置された部屋の内部を遠近法により描いた図である。
【００１１】
図１に示すように、実施の形態１による照明装置１Ａは、スラット２と、ヘッドボックス３と、ボトムレール４と、昇降コード５と、スラット回転用コード６とを備える。スラット２は、細長い板状の外形を有する。スラット２の長手方向は、照明装置１Ａの使用時に水平になる方向である。以下の説明では、原則として、照明装置１Ａが使用されるときの状態を基準として、上下の方向を特定する。
【００１２】
スラット２は、羽根またはルーバーとも呼ばれる。照明装置１Ａは、複数のスラット２を備える。複数のスラット２は、上下方向すなわち鉛直方向に沿って、間隔を空けて並んでいる。複数のスラット２は、スラット回転用コード６を介して、ヘッドボックス３から吊り下げられている。スラット回転用コード６は、縄梯子状になっている。スラット回転用コード６の縄梯子の各段にスラット２が一枚ずつ挿通されている。図示の例では、スラット２の長手方向の位置が異なる３箇所にそれぞれスラット回転用コード６が設けられている。
【００１３】
ヘッドボックス３の内部には、スラット回転用コード６を介してスラット２の傾斜角度を調整するための傾斜角度調整手段（図示省略）が備えられている。当該調整機構は、手動で動作するものでもよいし、電動で動作するものでもよい。
【００１４】
最も下に位置するスラット２の下にボトムレール４が配置されている。ボトムレール４は、スラット２と同等の長さを有する細長い板状の部材である。ボトムレール４は、スラット２と平行に配置されている。ボトムレール４は、昇降コード５を介して、ヘッドボックス３から吊り下げられている。３箇所のスラット回転用コード６のうち、中央のスラット回転用コード６を除く２箇所のスラット回転用コード６と同じ位置に、昇降コード５がそれぞれ配置されている。昇降コード５は、スラット２に形成された孔に挿通されている。
【００１５】
ヘッドボックス３の内部には、昇降コード５を巻き上げるための巻上機構（図示省略）が備えられている。当該巻上機構は、手動で動作するものでもよいし、電動で動作するものでもよい。昇降コード５を巻き上げると、ボトムレール４が上昇する。ボトムレール４の上昇に伴い、複数のスラット２は、下のスラット２から順に、ボトムレール４の上に積み重なって上昇していく。このようにして、昇降コード５を巻き上げることにより、複数のスラット２をヘッドボックス３の近くに退避させることができる。
【００１６】
図７に示すように、照明装置１Ａは、窓１００の覆いとして使用可能である。照明装置１Ａは、窓１００に対して室内側に配置される。図７は、窓１００に正対した人から照明装置１Ａを見た図に相当する。本実施の形態の照明装置１Ａは、ベネシャンブラインドに類似した機構を有する。天井面１０１は、照明装置１Ａが設置された部屋の天井の下面に相当する。壁面１０２は、照明装置１Ａが設置された部屋の壁の表面に相当する。床面１０３は、照明装置１Ａが設置された部屋の床の上面に相当する。図７中のブラインド面９０は、室内にいる人から見て、複数のスラット２が配置されている領域に相当する。
【００１７】
図２は、スラット２の長手方向に対して垂直な平面でスラット２を切断した図に相当する。以下の説明では、図２のような断面図におけるスラット２の外縁の形状を「スラット断面形状」と称する。また、スラット断面形状の長手方向を「断面長手方向」と称する。断面長手方向は、スラット２の長手方向に対して垂直である。図３に示すように、スラット断面形状は、スラット２の長手方向に沿って、実質的に一定である。
【００１８】
図２に示すように、本実施の形態におけるスラット２は、中空部８を有するスラット本体７と、中空部８に配置された光源部９とを備える。スラット本体７は、スラット２の外郭を形成する。
【００１９】
本実施の形態におけるスラット本体７は、さらに、中空部１０を有する。本実施の形態であれば、スラット本体７に中空部１０を形成したことにより、スラット本体７の軽量化に有利になる。変形例として、スラット本体７は、中空部１０を有しないものでもよい。
【００２０】
スラット本体７は、室内側端面部１１と、室内側上面部１２と、窓側上面部１３と、室内側下面部１４と、窓側下面部１５と、窓側端面部１６と、光源支持部１７とを備える。室内側端面部１１、室内側上面部１２、及び室内側下面部１４は、中空部８とスラット本体７の外部との間を隔てる壁に相当する。
【００２１】
窓側上面部１３は、室内側上面部１２に隣接する。窓側上面部１３は、中空部８とスラット本体７の外部との間を隔てる壁に相当しない。窓側下面部１５は、室内側下面部１４に隣接する。窓側下面部１５は、中空部８とスラット本体７の外部との間を隔てる壁に相当しない。
【００２２】
本実施の形態において、窓側上面部１３の一部と、窓側下面部１５の一部と、窓側端面部１６とは、中空部１０とスラット本体７の外部との間を隔てる壁に相当する。光源支持部１７は、スラット本体７の内部に位置する。光源支持部１７は、中空部８と中空部１０との間を隔てる壁に相当する。
【００２３】
本実施の形態におけるスラット断面形状は、長方形である。本実施の形態のように、スラット断面形状の長辺の全体または過半が直線に沿って延びている場合には、その直線に平行な方向を断面長手方向とみなしてもよい。
【００２４】
また、スラット断面形状が曲線により形成されているような場合には、スラット断面形状に接する平行な２つの直線の間隔が最大になるように当該直線の向きを定めたときに当該直線に対して垂直な方向を断面長手方向とみなしてもよい。
【００２５】
以下の説明では、断面長手方向が水平になるスラット２の姿勢を「水平姿勢」と称する。室内側端面部１１は、室内側に向くことのできる端面を形成する。例えば、スラット２を水平姿勢にしたときに、室内側端面部１１の表面は、室内側に向く。窓側上面部１３は、スラット２を水平姿勢にしたときに、スラット２の上面のうちの窓１００に近い部分を形成する。室内側上面部１２は、スラット２を水平姿勢にしたときに、室内側端面部１１と窓側上面部１３との間の部分のスラット２の上面を形成する。室内側下面部１４は、スラット２を水平姿勢にしたときに、スラット２の下面の一部を形成する。窓側下面部１５は、スラット２を水平姿勢にしたときに、室内側下面部１４よりも窓１００に近い部分のスラット２の下面を形成する。窓側端面部１６は、窓側に向くことのできる端面を形成する。例えば、スラット２を水平姿勢にしたときに、窓側端面部１６の表面は、窓側に向く。
【００２６】
光源部９は、発光素子１８及び光源基板１９を備える。光源基板１９に発光素子１８が実装されている。光源基板１９は、発光素子１８に給電するための導電パターンを有する。複数の発光素子１８が１個の光源基板１９上に実装されていてもよい。発光素子１８は、発光ダイオード（ＬＥＤ）を利用したものでもよい。例えば、発光素子１８として、表面実装型ＬＥＤパッケージ、砲弾型ＬＥＤパッケージ、配光レンズ付きＬＥＤパッケージ、チップ・スケール・パッケージのＬＥＤ、チップ・オン・ボード（ＣＯＢ）タイプのＬＥＤパッケージのうちの少なくとも一種を用いてもよい。また、発光素子１８は、ＬＥＤを利用したものに限らず、例えば、有機エレクトロルミネセンス（ＥＬ）素子または半導体レーザなどを利用したものでもよい。
【００２７】
光源支持部１７は、光源部９を取り付けるための取付面を有する。光源支持部１７の取付面に対して、光源基板１９が固定されている。図示の例では、光源支持部１７の取付面は、中空部８の内壁面の一部を形成しているとともに、室内側端面部１１の内面に対向している。
【００２８】
光源支持部１７は、中空部１０の内壁面の一部を形成している。図示を省略するが、中空部１０に、例えば、光源部９に供給される電力を制御する点灯制御回路、光源部９を冷却するための放熱フィンあるいはヒートパイプのような冷却機構、蓄電池、電気配線、回路基板などのうちの少なくとも一つの機器が配置されていてもよい。
【００２９】
以下の説明では、光源部９により生成された光を「人工光」と称する場合がある。また、日光すなわち太陽光を「自然光」と称する場合がある。図２中の自然光α１は、窓１００から入った自然光のうち、室内側上面部１２で反射した後に天井面１０１へ向かって照射される光線の例を示す。
【００３０】
室内側端面部１１及び室内側下面部１４は、光透過性を有する。照明装置１Ａは、光源部９から発せられた光を室内側端面部１１からスラット２の外部へ放射可能である。照明装置１Ａは、光源部９から発せられた光を室内側下面部１４からスラット２の外部へ放射可能である。照明装置１Ａによれば、室内側端面部１１及び室内側下面部１４からスラット２の外部へ放射される人工光によって室内を照明することができる。これにより、ブラインド面９０を人工光によって明るくすることができるので、室内の人の視環境を向上できる。また、本実施の形態であれば、室内側端面部１１から放射される人工光が天井面１０１に当たるようにスラット２を傾斜させることにより、人工光を天井面１０１に効率良く照射することができる。このため、天井面１０１の輝度を高くする上で有利になり、室内の人の視環境を向上できる。
【００３１】
本実施の形態であれば、光源部９が中空部８に配置されていることにより、以下の効果が得られる。光源部９による人工光は、室内側端面部１１あるいは室内側下面部１４を透過して、室内へ放射される。すなわち、光源部９から発せられた光が直接室内へ放射されることはない。このため、グレアを防止する上で有利になる。
【００３２】
本実施の形態では、室内側端面部１１からスラット２の外部へ放射される人工光の光束は、室内側下面部１４からスラット２の外部へ放射される人工光の光束よりも大きい。これにより、以下の効果が得られる。室内側端面部１１から放射される人工光を天井面１０１に照射する場合に、天井面１０１の輝度を高く上でさらに有利になる。
【００３３】
図２中の人工光β１，β２，β３について説明する。人工光β１は、光源部９から発せられた後、反射を経ることなく室内側端面部１１の内面に直接入射する光線の例を示す。本実施の形態であれば、人工光β１のような光線が存在することで、室内側端面部１１の内面に入射する光量を多くする上で有利になる。その結果、室内側端面部１１からスラット２の外部へ放射される人工光の光束を大きくする上でより有利になる。
【００３４】
人工光β２は、光源部９から発せられた後、室内側上面部１２の内面で１回反射して、室内側端面部１１の内面に入射する光線の例を示す。本実施の形態であれば、人工光β２のように、光源部９から発せられた後、１回のみの反射を経て室内側端面部１１の内面に入射する光線が存在することで、室内側端面部１１の内面に入射する光量を多くする上で有利になる。その結果、室内側端面部１１からスラット２の外部へ放射される人工光の光束を大きくする上でより有利になる。
【００３５】
人工光β３は、光源部９から発せられた後、反射を経ることなく室内側下面部１４の内面に直接入射する光線の例を示す。本実施の形態であれば、人工光β３のような光線が存在することで、室内側下面部１４の内面に入射する光量を多くする上で有利になる。その結果、室内側下面部１４からスラット２の外部へ放射される人工光の光束を大きくする上でより有利になる。
【００３６】
図２中の人工光β１は、光源部９の光軸に相当する。本実施の形態において、光源部９の光軸は、室内側端面部１１を通過する。これにより、室内側端面部１１の内面に入射する光量を多くする上で有利になる。その結果、室内側端面部１１からスラット２の外部へ放射される人工光の光束を大きくする上でより有利になる。
【００３７】
本実施の形態における室内側端面部１１及び室内側下面部１４は、光を拡散透過させる。図２中で室内側端面部１１の外面から出ている矢印は、人工光β１が室内側端面部１１を拡散透過した後の光線の例を示す。図２中で室内側下面部１４の外面から出ている矢印は、人工光β３が室内側下面部１４を拡散透過した後の光線の例を示す。変形例として、室内側端面部１１及び室内側下面部１４の少なくとも一部が光を正透過させるようにしてもよい。
【００３８】
本実施の形態における室内側端面部１１の外面、室内側上面部１２の外面、窓側上面部１３の外面、室内側下面部１４の外面、窓側下面部１５の外面、及び窓側端面部１６の外面は、それぞれ、平面になっている。室内側上面部１２の外面は、窓側上面部１３の外面と同一平面上にある。室内側下面部１４の外面は、窓側下面部１５の外面と同一平面上にある。室内側端面部１１の外面は、室内側上面部１２の外面及び室内側下面部１４の外面に対して垂直である。窓側端面部１６の外面は、窓側上面部１３の外面及び窓側下面部１５の外面に対して垂直である。
【００３９】
上記のような構成に限らず、本実施の形態における室内側端面部１１の外面、室内側上面部１２の外面、窓側上面部１３の外面、室内側下面部１４の外面、窓側下面部１５の外面、及び窓側端面部１６の外面は、それぞれ、その少なくとも一部が曲面になっていてもよい。
【００４０】
以下の説明では、スラット本体７の外面からスラット本体７の外側へ延びる法線を「外向き法線」と称する場合がある。室内側端面部１１の少なくとも一部の外向き法線は、断面長手方向に対して平行である。窓側端面部１６の少なくとも一部の外向き法線は、断面長手方向に対して平行である。
【００４１】
本実施の形態では、室内側端面部１１の外面と室内側上面部１２の外面との境界、室内側端面部１１の外面と室内側下面部１４の外面との境界、窓側端面部１６の外面と窓側上面部１３の外面との境界、及び、窓側端面部１６の外面と窓側下面部１５の外面との境界は、いずれも角を形成している。このような構成に限らず、これらの境界のうちの少なくとも一つの境界は、滑らかに連続する曲面になっていてもよい。
【００４２】
上記の境界が滑らかに連続する曲面になっている場合には、以下のようにしてもよい。断面長手方向に対する外向き法線の角度の絶対値が４５度未満である領域を、室内側端面部１１及び窓側端面部１６とみなしてもよい。断面長手方向に対する外向き法線の角度の絶対値が４５度以上である領域を、室内側上面部１２、窓側上面部１３、室内側下面部１４、及び窓側下面部１５とみなしてもよい。
【００４３】
以下の説明では、水平面に対するスラット２の断面長手方向の傾斜角度を「スラット傾斜角度」と称し、符号θで表す。本実施の形態の照明装置１Ａは、複数のスラット２のスラット傾斜角度θを変化させる傾斜角度調整手段を備える。前述したように、本実施の形態における傾斜角度調整手段は、スラット回転用コード６を介してスラット２を回転させることによってスラット傾斜角度θを変化させることができる。
【００４４】
図４は、複数のスラット２のスラット傾斜角度θを、０度、または０度に近い角度にした状態での照明装置１Ａの使用例を示す。図４中の自然光α２は、室内側上面部１２で反射した後に天井面１０１へ向かって照射される光線の例を示す。図４のような状態であれば、窓１００から入る自然光を、室内側上面部１２あるいは窓側上面部１３で１回反射させて、天井面１０１へ向かって照射することができる。これにより、天井面１０１の輝度を高くする上で有利になり、室内の人の視環境を向上できる。
【００４５】
図４中の人工光β４は、室内側端面部１１から放射される人工光の光線の例を示す。図４中の人工光β５は、室内側下面部１４から放射される人工光の光線の例を示す。図４のような状態であれば、室内側端面部１１及び室内側下面部１４から放射される人工光により、ブラインド面９０を明るくすることができるので、室内の人の視環境を向上できる。
【００４６】
図５は、複数のスラット２の断面長手方向を水平面に対して傾斜させた状態での照明装置１Ａの使用例を示す。図５では、スラット２の断面長手方向の直線を室内側に延長した仮想直線が天井面１０１と交差するようにスラット２が傾斜している。すなわち、図５では、鉛直方向の位置に関して、室内側端面部１１の位置が窓側端面部１６の位置よりも高くなるようにスラット２が傾斜している。以下では、説明の便宜上、図５のようにスラット２が傾斜した場合のスラット傾斜角度θの符号を正とする。
【００４７】
図５中の自然光α３は、窓１００から入る自然光のうち、スラット２の室内側上面部１２及び窓側上面部１３と、当該スラット２よりも一つ上にあるスラット２の窓側下面部１５との間で反射を繰り返した後に天井面１０１へ向かって照射される光線の例を示す。図５のような状態であれば、窓１００から入る自然光を、二つのスラット２の間で反射させた後、天井面１０１へ向かって照射することができる。これにより、天井面１０１の輝度を高くする上で有利になり、室内の人の視環境を向上できる。特に、図５のような状態であれば、太陽が比較的低い位置にあるときでも、天井面１０１へ向かって照射される自然光の量を多くしやすいので、天井面１０１の輝度を高くする上で有利になる。
【００４８】
図５中の人工光β４は、室内側端面部１１から放射される人工光の光線の例を示す。図５中の人工光β５は、室内側下面部１４から放射される人工光の光線の例を示す。図５のような状態であれば、室内側端面部１１及び室内側下面部１４から放射される人工光により、ブラインド面９０を明るくすることができるので、室内の人の視環境を向上できる。
【００４９】
また、図５に示す状態であれば、室内側端面部１１から人工光が斜め上に向かって放射されるので、天井面１０１に照射される人工光の量を多くしやすい。このため、天井面１０１の輝度を高くする上で有利になり、室内の人の視環境を向上できる。
【００５０】
図６は、複数のスラット２のスラット傾斜角度θを、９０度、または９０度に近い角度にした状態での照明装置１Ａの使用例を示す。図６において、スラット２の室内側端面部１１は、当該スラット２の一つ上のスラット２の窓側端面部１６に対して接している。図６は、自然光が室内に入ることを防止することを使用者が望むときの使用例に相当する。
【００５１】
図６中の自然光α４は、室内側上面部１２にて反射することによって窓側へ戻る光線の例を示す。図６中の自然光α５は、窓側上面部１３にて反射することによって窓側へ戻る光線の例を示す。図６のような状態であれば、室内側上面部１２及び窓側上面部１３が自然光を反射することにより、自然光が室内に入ることを確実に抑制できる。
【００５２】
図６中の人工光β６は、光源部９から発せられた後、反射を経ることなく室内側下面部１４を透過して室内に放射される光線の例を示す。図６中の人工光β７は、光源部９から発せられた光のうち、室内側上面部１２の内面で１回反射した後、室内側下面部１４を透過して室内に放射される光線の例を示す。図６のような状態であれば、室内側下面部１４から放射される人工光により、ブラインド面９０を明るくすることができるので、室内の人の視環境を向上できる。
【００５３】
以下の説明において、「反射率」とは、原則として、スラット２の外部からの光に対する全光線反射率を指すものとする。また、反射率の単位は［％］とする。本実施の形態において、室内側上面部１２の反射率は、室内側下面部１４の反射率よりも高い。これにより、以下の効果が得られる。図４あるいは図５に示す状態のときに、室内側上面部１２で反射する自然光の量を多くする上で有利になるので、天井面１０１へ照射される自然光の量を多くしやすい。その結果、天井面１０１の輝度を高くする上でより有利になり、室内の人の視環境を向上できる。また、図６に示す状態のときに、自然光が室内側上面部１２を透過することをより確実に抑制できる。このため、自然光が室内側上面部１２及び室内側下面部１４を透過して室内に入射することをより確実に抑制できる。
【００５４】
室内側上面部１２の反射率は、室内側下面部１４の反射率よりも３０ポイント以上高いことが望ましい。そのようにすることで、上記効果をより確実に奏することが可能となる。
【００５５】
以下の説明において、「光透過率」とは、原則として、全光線透過率を指すものとする。また、光透過率の単位は［％］とする。本実施の形態において、室内側下面部１４の光透過率は、室内側上面部１２の光透過率よりも高い。これにより、以下の効果が得られる。室内側下面部１４を透過する人工光の量を多くしやすいので、室内側下面部１４から室内へ放射される人工光の量を多くする上で有利になる。その結果、特に図５あるいは図６に示す状態のときに、ブラインド面９０を明るくする上でより有利になるので、室内の人の視環境を向上できる。
【００５６】
室内側下面部１４の光透過率は、室内側上面部１２の光透過率よりも３０ポイント以上高いことが望ましい。そのようにすることで、上記効果をより確実に奏することが可能となる。
【００５７】
窓側上面部１３は、室内側上面部１２と同等またはそれ以上の反射率を有することが望ましい。これにより、以下の効果が得られる。図４あるいは図５に示す状態のときに、窓側上面部１３で反射する自然光の量を多くする上で有利になるので、天井面１０１へ照射される自然光の量を多くしやすい。その結果、天井面１０１の輝度を高くする上でより有利になり、室内の人の視環境を向上できる。また、図６に示す状態のときに、自然光が窓側上面部１３を透過することをより確実に抑制できる。このため、自然光が窓側上面部１３及び窓側下面部１５を透過して室内に入射することをより確実に抑制できる。
【００５８】
スラット本体７の少なくとも一部は、プラスチックで作られていてもよい。スラット本体７の各部の反射率及び光透過率の値は、例えば、日本工業規格（ＪＩＳ）Ｋ７３７５の「プラスチック−全光線透過率及び全光線反射率の求め方」に基づいて測定することができる。
【００５９】
本実施の形態では、室内側上面部１２と窓側上面部１３とが一体的に形成されている。これにより、室内側上面部１２と窓側上面部１３とを別々の部品にする必要がないので、部品点数を削減できる。さらに、本実施の形態では、室内側上面部１２、窓側上面部１３、窓側下面部１５、窓側端面部１６、及び光源支持部１７が一体的に形成されている。これにより、部品点数を削減する上でさらに有利になる。
【００６０】
室内側上面部１２及び窓側上面部１３は、スラット２の外部からの光がスラット２の内部に入射することを防止する遮光性を有していてもよい。すなわち、室内側上面部１２及び窓側上面部１３の光透過率は、実質的に０％、または０％に近い値でもよい。そのようにすることで、図６に示す状態のときに、自然光が室内側上面部１２及び窓側上面部１３を透過することをより確実に抑制できるので、自然光が室内に入射することをより確実に抑制できる。
【００６１】
室内側上面部１２、窓側上面部１３、窓側下面部１５、窓側端面部１６、及び光源支持部１７の少なくとも一部は、金属で作られていてもよい。
【００６２】
図示の例では室内側端面部１１の外面が平面になっているが、変形例として、室内側端面部１１の外面が凸曲面になっていてもよい。そのようにすることで、ブラインド面９０の明かりにむらが出来にくくなり、光質をさらに向上することができる。
【００６３】
室内側端面部１１は、光源部９からの人工光を集光するレンズ部（図示省略）を有していてもよい。室内側端面部１１がレンズ部を有する場合には、室内側端面部１１から天井面１０１へ向かって人工光を照射するときの照射光の指向性を向上できるので、天井面１０１のうちで人工光を照射する位置をより高精度に調整することが可能となる。
【００６４】
実施の形態２．
次に、図８を参照して、実施の形態２について説明するが、前述した実施の形態１との相違点を中心に説明し、同一部分または相当部分については説明を簡略化または省略する。図８は、実施の形態２による照明装置が設置された部屋を示す断面側面図である。
【００６５】
図８に示すように、実施の形態２による照明装置１Ｂは、使用時に鉛直方向についての位置が異なるように配置可能な複数のスラット２を備える。照明装置１Ｂは、複数のスラット２のスラット傾斜角度θを変化させる傾斜角度調整手段を備える。この傾斜角度調整手段は、複数のスラット２のうち比較的低い第一高さにある一部のスラット２のスラット傾斜角度θが正になり、かつ、第一高さにあるスラット２のスラット傾斜角度θが、第一高さよりも高い第二高さにあるスラット２のスラット傾斜角度θよりも大きくなるように、スラット傾斜角度θを調整可能である。
【００６６】
図８中の人工光β８は、第一高さにあるスラット２の室内側端面部１１から放射される光線の例を示す。「第一高さ」とは、例えば、椅子に座っている人２００の目の高さ２０１と同程度の高さでもよい。
【００６７】
人工光β９は、第二高さにあるスラット２の室内側端面部１１から放射される光線の例を示す。「第二高さ」とは、例えば、立ち上がった人の目の高さ以上の高さでもよい。
【００６８】
本実施の形態であれば、以下の効果が得られる。図８に示す状態において、第一高さにあるスラット２から天井面１０１へ照射される人工光及び自然光は、天井面１０１のうち、窓１００に比較的近い領域に当たる。その一方で、第二高さにあるスラット２から天井面１０１へ照射される人工光及び自然光は、天井面１０１のうち、窓１００から比較的遠い領域に当たる。その結果、窓１００に比較的近い領域の天井面１０１と、窓１００から比較的遠い領域の天井面１０１との双方に対して人工光及び自然光を均等に近く照射しやすくする。このため、天井面１０１を全体的に明るくする上で有利になる。椅子に座っている人２００が照明装置１Ｂを見たときに、目の高さ２０１と同程度の第一高さにあるスラット２の室内側端面部１１から天井面１０１へ向けて放射される人工光が目に入ることを確実に抑制できる。このため、グレアを確実に抑制できる。
【００６９】
照明装置１Ｂが備える傾斜角度調整手段は、上位のスラット２から下位のスラット２に向かってスラット傾斜角度θが徐々に大きくなるように、複数のスラット２のスラット傾斜角度θを調整可能でもよい。その場合、個々のスラット２のスラット傾斜角度θが上から下に向かって順に大きくなるようにしてもよいし、全部のスラット２を上から下に向かって複数のグループに分け、グループ毎のスラット傾斜角度θが上から下に向かって順に大きくなるようにしてもよい。
【００７０】
実施の形態３．
次に、図９及び図１０を参照して、実施の形態３について説明するが、前述した実施の形態１との相違点を中心に説明し、同一部分または相当部分については説明を簡略化または省略する。図９は、実施の形態３による照明装置が設置された部屋を示す断面側面図である。図１０は、実施の形態３による照明装置のブロック図である。
【００７１】
図９に示すように、実施の形態３による照明装置１Ｃは、使用時に鉛直方向についての位置が異なるように配置可能な複数のスラット２を備える。図１０に示すように、照明装置１Ｃは、複数のスラット２のスラット傾斜角度θを変化させることのできるスラット駆動部５１と、スラット駆動部５１を制御する制御装置５０とを備える。スラット駆動部５１は、スラット傾斜角度θが変化するようにスラット２を回転させるアクチュエータ（図示省略）を備える。スラット駆動部５１は、スラット回転用コード６を介してスラット２を回転させてもよいし、例えばギアトレーン、リンク機構、またはベルト伝動機構のような機構を介してスラット２を回転させてもよい。
【００７２】
スラット駆動部５１は、全部のスラット２のスラット傾斜角度θが等しくなるようにスラット２を回転させるものでもよいし、個々のスラット２のスラット傾斜角度θを個別に調整可能なものでもよい。または、スラット駆動部５１は、全部のスラット２を上から下に向かって複数のグループに分け、グループ毎にスラット傾斜角度θを調整可能なものでもよい。本実施の形態におけるスラット駆動部５１は、スラット傾斜角度θを変化させるスラット駆動手段に相当する。制御装置５０は、スラット駆動手段によりスラット傾斜角度θを調整する制御手段に相当する。
【００７３】
以下の説明において、「天井面１０１」とは、照明装置１Ｃが設置された窓１００からの距離が所定距離以内の天井面１０１を指すものとする。または、「天井面１０１」とは、照明装置１Ｃが設置された部屋の天井のうち、スラット２から放射される人工光が届きうる領域を指すものとする。
【００７４】
輝度検出部３００は、天井面１０１を撮影する電子カメラを備え、当該電子カメラにより撮影された画像を処理することにより、天井面１０１の輝度分布を検出する。当該輝度分布に関する情報を以下「天井輝度分布情報」と称する。輝度検出部３００は、照明装置１Ｃとは異なる位置に配置されている。制御装置５０は、有線通信または無線通信により、輝度検出部３００から天井輝度分布情報を受信可能である。制御装置５０は、天井輝度分布情報を受信する受信手段に相当する。
【００７５】
本実施の形態において、スラット２の室内側端面部１１から放射された人工光βは、天井面１０１に照射される。また、スラット２で反射した自然光αは、天井面１０１に照射される。制御装置５０は、輝度検出部３００から受信した天井輝度分布情報に基づいて、天井面１０１の輝度分布が均一の状態に近づくように、スラット駆動部５１により、少なくとも一部のスラット２のスラット傾斜角度θを調整する。
【００７６】
図９中のグラフは、自然光αによる天井面１０１の明るさ及び人工光βによる天井面１０１の明るさと、窓１００からの距離との関係の一例を示す。このグラフが示すように、典型的には、窓１００からの距離が遠くなるほど、自然光αによる天井面１０１の明るさが減少する。これは、窓１００に近い位置には自然光αが届きやすく、窓１００から遠い位置には自然光αが届きにくいためである。
【００７７】
図９中のグラフは、照明装置１Ｃのスラット２から放射される人工光βによる天井面１０１の明るさが、窓１００からの距離が遠くなるほど増大するように、制御装置５０がスラット駆動部５１によりスラット２のスラット傾斜角度θを調整した例を示す。この例によれば、人工光β及び自然光αを合わせた天井面１０１の明るさが、窓１００からの距離によらず、一定になる。その結果、天井面１０１の輝度が均一となり、天井面１０１の全体を均一に明るくすることができる。その結果、天井面１０１の輝度むらが確実に抑制され、視環境を向上する上でさらに有利になる。
【００７８】
図９中のグラフは、理想の状況を表したものであり、天井面１０１の明るさは、このグラフのように完全に均一である必要はない。本実施の形態では、スラット２からの人工光βがないと仮定した場合に比べて、天井面１０１の輝度分布が均一の状態に近くなるように、制御装置５０がスラット駆動部５１により少なくとも一部のスラット２のスラット傾斜角度θを調整することで、上記効果に類似した効果が得られる。
【００７９】
制御装置５０は、以下のように構成されてもよい。制御装置５０の各機能は、処理回路により実現されてもよい。制御装置５０の処理回路は、少なくとも１つのプロセッサと少なくとも１つのメモリとを備えてもよい。少なくとも１つのプロセッサは、少なくとも１つのメモリに記憶されたプログラムを読み出して実行することにより、制御装置５０の各機能を実現してもよい。制御装置５０の処理回路は、少なくとも１つの専用のハードウェアを備えてもよい。制御装置５０の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置５０の各機能を実現しても良い。単一の制御装置５０により動作が制御される構成に限定されるものではなく、複数の制御装置が連携することで動作を制御する構成にしてもよい。
【００８０】
実施の形態４．
次に、図１１を参照して、実施の形態４について説明するが、前述した実施の形態との相違点を中心に説明し、同一部分または相当部分については説明を簡略化または省略する。図１１は、実施の形態４による照明装置が設置された部屋の内部を遠近法により描いた図である。
【００８１】
図１１に示すように、実施の形態４による照明装置１Ｄは、輝度カメラ５３を備える。輝度カメラ５３は、ヘッドボックス３に設置されている。輝度カメラ５３は、天井面１０１を撮影する電子カメラを備え、当該電子カメラにより撮影された画像を処理することにより、天井面１０１の輝度分布を検出する。輝度カメラ５３によれば、実施の形態３と同様の天井輝度分布情報を取得できる。輝度カメラ５３は、輝度検出手段に相当する。
【００８２】
図示を省略するが、照明装置１Ｄは、実施の形態３と同様の制御装置５０及びスラット駆動部５１を備える。制御装置５０は、輝度カメラ５３により検出された天井輝度分布情報に基づいて、天井面１０１の輝度分布が均一の状態に近づくように、スラット駆動部５１により、少なくとも一部のスラット２のスラット傾斜角度θを調整する。その結果、本実施の形態によれば、実施の形態３と同様の効果が得られる。
【００８３】
本実施の形態であれば、輝度カメラ５３がヘッドボックス３に設置されていることで、以下の効果が得られる。高い位置にあるヘッドボックス３に輝度カメラ５３を配置したことで、輝度カメラ５３の視野が室内の障害物によって遮られることを確実に防止できる。このため、輝度カメラ５３による天井輝度分布情報をより安定して取得することが可能となる。
【００８４】
実施の形態５．
次に、図１２を参照して、実施の形態５について説明するが、前述した実施の形態との相違点を中心に説明し、同一部分または相当部分については説明を簡略化または省略する。図１２は、実施の形態５による照明装置が設置された部屋の内部を遠近法により描いた図である。
【００８５】
図１２に示すように、実施の形態５による照明装置１Ｅは、スラット２の昇降方向に沿って配置された支柱２０と、輝度カメラ５４とを備える。輝度カメラ５４は、支柱２０に設置されている。輝度カメラ５４は、天井面１０１を撮影する電子カメラを備え、当該電子カメラにより撮影された画像を処理することにより、天井面１０１の輝度分布を検出する。輝度カメラ５４によれば、実施の形態３と同様の天井輝度分布情報を取得できる。輝度カメラ５４は、輝度検出手段に相当する。
【００８６】
図示を省略するが、照明装置１Ｅは、実施の形態３と同様の制御装置５０及びスラット駆動部５１を備える。制御装置５０は、輝度カメラ５４により検出された天井輝度分布情報に基づいて、天井面１０１の輝度分布が均一の状態に近づくように、スラット駆動部５１により、少なくとも一部のスラット２のスラット傾斜角度θを調整する。その結果、本実施の形態によれば、実施の形態３と同様の効果が得られる。
【００８７】
図示の例では、支柱２０は、スラット２の長手方向の中央に配置されている。輝度カメラ５４は、支柱２０の長手方向の中央部分に配置されている。輝度カメラ５４が配置された位置は、例えば、床面１０３から天井面１０１までの高さの半分程度の高さの位置でもよい。
【００８８】
本実施の形態であれば、輝度カメラ５４が支柱２０に設置されていることで、以下の効果が得られる。天井面１０１に比べて十分に低い位置に輝度カメラ５４を配置できるので、より広範囲の天井面１０１の輝度を輝度カメラ５４が測定する上で有利になる。輝度カメラ５４による測定精度を実施の形態３よりも向上することができる。
【００８９】
実施の形態６．
次に、図１３を参照して、実施の形態６について説明するが、前述した実施の形態との相違点を中心に説明し、同一部分または相当部分については説明を簡略化または省略する。図１３は、実施の形態６による照明装置が備えるスラットを、スラットの長手方向に垂直な平面で切断した断面図である。
【００９０】
実施の形態６による照明装置は、実施の形態１のスラット２に代えて、図１３に示すスラット２Ａを備える。図１３中のＬ１で示す寸法は、断面長手方向についてのスラット２Ａの全長の１／２に相当する。図１３中のＬ２で示す寸法は、断面長手方向についての室内側下面部１４の長さに相当する。寸法Ｌ２は、寸法Ｌ１よりも長い。すなわち、断面長手方向についての室内側下面部１４の長さは、断面長手方向についてのスラット２Ａの全長の１／２よりも長い。これにより、以下の効果が得られる。室内側下面部１４の面積を大きくすることができるので、室内側下面部１４から室内へ人工光を放射したときに、ブラインド面９０の輝度を向上する上で有利になり、ブラインド面９０の明るさ感をより向上しやすい。
【００９１】
窓側上面部１３には、昇降コード５を挿通する孔２１が形成されている。窓側下面部１５には、昇降コード５を挿通する孔２２が形成されている。昇降コード５は、孔２１、中空部１０、及び孔２２を通るように配置されている。昇降コード５は、光源部９の位置よりも窓側の位置に配置されている。このような構成によれば、光源部９から発せられた光が昇降コード５によって遮られることを確実に防止できる。
【００９２】
実施の形態７．
次に、図１４を参照して、実施の形態７について説明するが、前述した実施の形態との相違点を中心に説明し、同一部分または相当部分については説明を簡略化または省略する。図１４は、実施の形態７による照明装置が備えるスラットを、スラットの長手方向に垂直な平面で切断した断面図である。
【００９３】
実施の形態７による照明装置は、実施の形態１のスラット２に代えて、図１４に示すスラット２Ｂを備える。図１４は、スラット２Ｂの長手方向に平行な方向から見た図に相当する。スラット２Ｂは、中空部１０を備えていない。スラット本体７には、昇降コード５を挿通する孔２３が形成されている。孔２３は、窓側上面部１３の外面から窓側下面部１５の外面まで貫通している。孔２３に挿通された昇降コード５は、光源部９の位置よりも窓側の位置に配置されている。このような構成によれば、光源部９から発せられた光が昇降コード５によって遮られることを確実に防止できる。
【００９４】
本実施の形態におけるスラット２Ｂのスラット本体７は、室内側上面部１２及び窓側上面部１３により形成されるスラット本体７の上面が凹面になり、室内側下面部１４及び窓側下面部１５により形成されるスラット本体７の下面が凸面となるように、湾曲または屈曲している。これにより、以下の効果が得られる。スラット２Ｂの室内側端面部１１は、斜め上を向きやすい。このため、スラット２Ｂの室内側端面部１１から出射する人工光の方向は、斜め上に向かいやすい。その結果、本実施の形態であれば、室内側端面部１１から天井面１０１に向かって照射される人工光の量を多くしやすいので、天井面１０１の輝度を向上する上でより有利になる。また、室内にいる人がブラインド面９０を見たときに、室内側端面部１１から放射される人工光の光線が、その人の目に入りにくいので、グレアを防止する上でより有利になる。
【００９５】
図１４中の外向き法線Ｎ１，Ｎ２，Ｎ３，Ｎ４について説明する。外向き法線Ｎ１は、室内側上面部１２の表面の外向き法線である。外向き法線Ｎ２は、窓側上面部１３の表面の外向き法線である。外向き法線Ｎ３は、室内側下面部１４の表面の外向き法線である。外向き法線Ｎ４は、窓側下面部１５の表面の外向き法線である。
【００９６】
本実施の形態では、スラット２Ｂの長手方向に平行な方向から見たときに、室内側上面部１２の少なくとも一部の表面の外向き法線Ｎ１と、窓側上面部１３の少なくとも一部の表面の外向き法線Ｎ２とが交わり、かつ、室内側下面部１４の少なくとも一部の表面の外向き法線Ｎ３と、窓側下面部１５の少なくとも一部の表面の外向き法線Ｎ４とが交わらない。これにより、以下の効果が得られる。図１４中の自然光α６は、室内側上面部１２で反射して天井面１０１へ向かって照射される光線の例を示す。本実施の形態であれば、水平面に対する自然光α６の角度を大きくしやすい。このため、太陽が比較的低い位置にあるときでも、天井面１０１へ向かって照射される自然光の量を多くしやすいので、天井面１０１の輝度を高くする上でより有利になる。図１４中の自然光α７は、窓側下面部１５の近傍を通過する光線の例を示す。自然光α７は、図１４中のスラット２Ｂの一つ下にあるスラット２Ｂの室内側上面部１２で反射し、天井面１０１へ向かって照射される。本実施の形態であれば、自然光α７のように窓側下面部１５の近傍を自然光が通過可能となるので、窓側上面部１３あるいは窓側端面部１６に遮られて無駄になる自然光を少なくできる。そして、天井面１０１の輝度を上げる光として自然光α７を利用可能となるので、天井面１０１に照射される自然光の量を多くする上で有利になる。
【００９７】
以上、実施の形態について説明したが、本発明は実施の形態に限定されるものではない。例えば、本発明の照明装置は、スラット２の表面、あるいはヘッドボックス３の表面など、自然光が照射される位置に配置された太陽電池を備えてもよい。その場合、照明装置は、当該太陽電池により発電された電力により充電可能な蓄電池をさらに備え、当該蓄電池から供給される電力によって光源部９を点灯可能になっていてもよい。そのようにすることで、自然光をより有効に活用することが可能となる。
【符号の説明】
【００９８】
１Ａ  照明装置、  １Ｂ  照明装置、  １Ｃ  照明装置、  １Ｄ  照明装置、  １Ｅ  照明装置、  ２  スラット、  ２Ａ  スラット、  ２Ｂ  スラット、  ３  ヘッドボックス、  ４  ボトムレール、  ５  昇降コード、  ６  スラット回転用コード、  ７  スラット本体、  ８  中空部、  ９  光源部、  １０  中空部、  １１  室内側端面部、  １２  室内側上面部、  １３  窓側上面部、  １４  室内側下面部、  １５  窓側下面部、  １６  窓側端面部、  １７  光源支持部、  １８  発光素子、  １９  光源基板、  ２０  支柱、  ２１  孔、  ２２  孔、  ２３  孔、  ５０  制御装置、  ５１  スラット駆動部、  ５３  輝度カメラ、  ５４  輝度カメラ、  ９０  ブラインド面、  １００  窓、  １０１  天井面、  １０２  壁面、  １０３  床面、  ２００  人、  ３００  輝度検出部
【図１】
2019212585.tif 000003
【図２】
2019212585.tif 000004
【図３】
2019212585.tif 000005
【図４】
2019212585.tif 000006
【図５】
2019212585.tif 000007
【図６】
2019212585.tif 000008
【図７】
2019212585.tif 000009
【図８】
2019212585.tif 000010
【図９】
2019212585.tif 000011
【図１０】
2019212585.tif 000012
【図１１】
2019212585.tif 000013
【図１２】
2019212585.tif 000014
【図１３】
2019212585.tif 000015
【図１４】
2019212585.tif 000016